【手続補正書】
【提出日】平成16年5月21日(2004.5.21)
【手続補正１】
【補正対象書類名】明細書
【補正対象項目名】発明の名称
【補正方法】変更
【補正の内容】
【発明の名称】画像処理装置及びその方法
【手続補正２】
【補正対象書類名】明細書
【補正対象項目名】特許請求の範囲
【補正方法】変更
【補正の内容】
【特許請求の範囲】
【請求項１】
画像をウェーブレット変換して変換係数を得、当該変換係数において前記画像の指定領域に相当する変換係数のビットをシフトアップし、当該シフトアップされたビットとそれ以外の領域に相当する変換係数のビットとをエントロピー符号化して得られたデータストリームを含む圧縮データを入力する入力手段と、
前記入力手段により入力した前記圧縮データを伸長し第１のビットマップデータを生成する生成手段と、
前記圧縮データを解析し前記第１のビットマップデータにおける前記指定領域とそれ以外の領域とを判別する解析手段と、
前記解析手段による判別結果に基づいて、前記第１のビットマップデータにおける前記指定領域とそれ以外の領域とをそれぞれ互いに異なるパラメータを用いて画像処理して第２のビットマップデータに変換する変換手段と、
を有することを特徴とする画像処理装置。
【請求項２】
前記圧縮データには前記画像の指定領域とそれ以外の領域とを区別するためのマスク情報が含まれ、前記解析手段は前記マスク情報に基づいて各領域を判別することを特徴とする請求項１に記載の画像処理装置。
【請求項３】
前記変換手段は、前記指定領域を文字領域として画像処理し、それ以外の領域を非文字領域として画像処理することを特徴とする請求項１又は２に記載の画像処理装置。
【請求項４】
前記変換手段による変換は、色変換であることを特徴とする請求項１乃至３のいずれか１項に記載の画像処理装置。
【請求項５】
前記変換手段による変換は、ハーフトーン処理であることを特徴とする請求項１乃至３のいずれか１項に記載の画像処理装置。
【請求項６】
画像をウェーブレット変換して変換係数を得、当該変換係数において前記画像の指定領域に相当する変換係数のビットをシフトアップし、当該シフトアップされたビットとそれ以外の領域に相当する変換係数のビットとをエントロピー符号化して得られたデータストリームを含む圧縮データを入力する入力工程と、
前記入力工程で入力された前記圧縮データを伸長して第１のビットマップデータを生成する生成工程と、
前記入力工程で入力された前記圧縮データを解析して前記第１のビットマップデータにおける前記指定領域とそれ以外の領域とを判別する解析工程と、
前記解析工程での判別結果に基づいて、前記第１のビットマップデータにおける前記指定領域とそれ以外の領域とをそれぞれ互いに異なるパラメータを用いて画像処理して第２のビットマップデータに変換する変換工程と、
を有することを特徴とする画像処理方法。
【請求項７】
前記圧縮データには前記画像の指定領域とそれ以外の領域とを区別するためのマスク情報が含まれ、前記解析工程では前記マスク情報に基づいて各領域を判別することを特徴とする請求項６に記載の画像処理方法。
【請求項８】
前記変換工程では、前記指定領域を文字領域として画像処理し、それ以外の領域を非文字領域として画像処理することを特徴とする請求項６又は７に記載の画像処理方法。
【請求項９】
前記変換工程における変換は色変換であることを特徴とする請求項６乃至８のいずれか１項に記載の画像処理方法。
【請求項１０】
前記変換工程における変換はハーフトーン処理であることを特徴とする請求項６乃至８のいずれか１項に記載の画像処理方法。
【請求項１１】
画像処理を実行するプログラムを記憶する、コンピュータにより読取可能な記憶媒体であって、
前記プログラムは、
画像をウェーブレット変換して変換係数を得、当該変換係数において前記画像の指定領域に相当する変換係数のビットをシフトアップし、当該シフトアップされたビットとそれ以外の領域に相当する変換係数のビットとをエントロピー符号化して得られたデータストリームを含む圧縮データを入力する入力工程モジュールと、
前記入力工程モジュールにより入力された前記圧縮データを伸長して第１のビットマップデータを生成する生成工程モジュールと、
前記入力工程モジュールにより入力された前記圧縮データを解析して前記第１のビットマップデータにおける前記指定領域とそれ以外の領域とを判別する解析工程モジュールと、
前記解析工程モジュールによる判別結果に基づいて、前記第１のビットマップデータにおける前記指定領域とそれ以外の領域とをそれぞれ互いに異なるパラメータを用いて画像処理して第２のビットマップデータに変換する変換工程モジュールと、
を有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、圧縮されたデータを入力し、それを伸長してビットマップデータを生成する画像処理装置及びその方法に関するものである。
【手続補正４】
【補正対象書類名】明細書
【補正対象項目名】０００４
【補正方法】変更
【補正の内容】
【０００４】
本発明は上記従来例に鑑みてなされたもので、符号化ビットストリームから指定領域とそれ以外の領域とを判断し、それぞれをビットマップに展開する画像処理装置及びその方法を提供することを目的とする。
【手続補正５】
【補正対象書類名】明細書
【補正対象項目名】０００５
【補正方法】変更
【補正の内容】
【０００５】
【課題を解決するための手段】
上記目的を達成するために本発明の画像処理装置は以下のような構成を備える。即ち、
画像をウェーブレット変換して変換係数を得、当該変換係数において前記画像の指定領域に相当する変換係数のビットをシフトアップし、当該シフトアップされたビットとそれ以外の領域に相当する変換係数のビットとをエントロピー符号化して得られたデータストリームを含む圧縮データを入力する入力手段と、前記入力手段により入力した前記圧縮データを伸長し第１のビットマップデータを生成する生成手段と、前記圧縮データを解析し前記第１のビットマップデータにおける前記指定領域とそれ以外の領域とを判別する解析手段と、前記解析手段による判別結果に基づいて、前記第１のビットマップデータにおける前記指定領域とそれ以外の領域とをそれぞれ互いに異なるパラメータを用いて画像処理して第２のビットマップデータに変換する変換手段とを有することを特徴とする。
【手続補正６】
【補正対象書類名】明細書
【補正対象項目名】０００６
【補正方法】変更
【補正の内容】
【０００６】
上記目的を達成するために本発明の画像処理方法は以下のような工程を備える。即ち、
画像をウェーブレット変換して変換係数を得、当該変換係数において前記画像の指定領域に相当する変換係数のビットをシフトアップし、当該シフトアップされたビットとそれ以外の領域に相当する変換係数のビットとをエントロピー符号化して得られたデータストリームを含む圧縮データを入力する入力工程と、前記入力工程で入力された前記圧縮データを伸長して第１のビットマップデータを生成する生成工程と、前記入力工程で入力された前記圧縮データを解析して前記第１のビットマップデータにおける前記指定領域とそれ以外の領域とを判別する解析工程と、前記解析工程での判別結果に基づいて、前記第１のビットマップデータにおける前記指定領域とそれ以外の領域とをそれぞれ互いに異なるパラメータを用いて画像処理して第２のビットマップデータに変換する変換工程とを有することを特徴とする。
【手続補正７】
【補正対象書類名】明細書
【補正対象項目名】０１０５
【補正方法】変更
【補正の内容】
【０１０５】
【発明の効果】
以上説明したように本発明によれば、符号化ビットストリームから指定領域とそれ以外の領域とを判断し、それぞれを異なるパラメータを用いてビットマップ展開することができる。